(57)【特許請求の範囲】
【請求項１】
吹出口、及び側壁の一部に形成された吸込口を備えた筐体と、
前記吸込口と対向して前記筐体内に配置され、空気の流れ方向に沿って少なくとも１台設けられた熱交換器と、
前記筐体内に設けられ、前記吸込口から空気を吸入し、前記吹出口から当該空気を吹き出す送風機と、
を有し、
前記熱交換器は、
上下方向に並設された複数の伝熱管と、
前記伝熱管が挿入され、互いに所定の間隔を介して積層された複数のフィンと、
前記フィンの積層方向の一方の端部において２本の伝熱管の端部を接続する複数のＵ字状配管と、
を備えた空気調和機の室外機であって、
前記熱交換器は、前記伝熱管と前記Ｕ字状配管とを一体形成したものであって、前記Ｕ字状配管が配置された側の端部に保護部材を有し、
該保護部材は、
上下方向に沿って前記熱交換器の前記Ｕ字状配管と対向する第１の面部を備え、
前記空気の流れ方向の最上流部に配置された前記熱交換器における最も前記Ｕ字状配管に近い前記フィンから当該熱交換器の前記Ｕ字状配管の折り曲げ部に向かう方向を反フィン側とした場合、
前記第１の面部における反フィン側端部は、前記空気の流れ方向の最上流部に配置された前記熱交換器の前記Ｕ字状配管における折り曲げ部よりも反フィン側に配置され、
前記第１の面部の反フィン側端部の少なくとも一部に、前記空気の流れ方向の最上流部に配置された前記熱交換器の前記Ｕ字状配管に向かって延設され、平面視において当該Ｕ字状配管を覆う第２の面部を有し、
前記第２の面部の下端部よりも所定の長さ上方には、前記第２の面部よりも反フィン側に突設され、前記熱交換器を前記筐体の台板上に載置する際に作業者の手の上部に係止される突設部を備えたことを特徴とする空気調和機の室外機。
【請求項２】
前記熱交換器は、前記空気の流れ方向に沿って複数台設けられており、
前記第１の面部は、その反フィン側端部が全ての前記熱交換器の前記Ｕ字状配管よりも反フィン側に配置されていることを特徴とする請求項１に記載の空気調和機の室外機。
【請求項３】
前記第２の面部は、平面視において全ての前記熱交換器の前記Ｕ字状配管を覆うことを特徴とする請求項２に記載の空気調和機の室外機。
【請求項４】
吹出口、及び側壁の一部に形成された吸込口を備えた筐体と、
前記吸込口と対向して前記筐体内に配置され、空気の流れ方向に沿って少なくとも１台設けられた熱交換器と、
前記筐体内に設けられ、前記吸込口から空気を吸入し、前記吹出口から当該空気を吹き出す送風機と、
を有し、
前記熱交換器は、
上下方向に並設された複数の伝熱管と、
前記伝熱管が挿入され、互いに所定の間隔を介して積層された複数のフィンと、
前記フィンの積層方向の一方の端部において２本の伝熱管の端部を接続する複数のＵ字状配管と、
を備えた空気調和機の室外機であって、
前記熱交換器は、前記Ｕ字状配管が配置された側の端部に保護部材を有し、
該保護部材は、
上下方向に沿って前記熱交換器の前記Ｕ字状配管と対向する第１の面部を備え、
前記空気の流れ方向の最上流部に配置された前記熱交換器における最も前記Ｕ字状配管に近い前記フィンから当該熱交換器の前記Ｕ字状配管の折り曲げ部に向かう方向を反フィン側とした場合、
前記第１の面部における反フィン側端部は、前記空気の流れ方向の最上流部に配置された前記熱交換器の前記Ｕ字状配管における折り曲げ部よりも反フィン側に配置され、
前記第１の面部の下端部よりも所定の長さ上方には、前記第１の面部の反フィン側端部よりも反フィン側に突設され、前記熱交換器を前記筐体の台板上に載置する際に作業者の手の上部に係止される突設部を備えたことを特徴とする空気調和機の室外機。
【請求項５】
前記突設部の下端部には、平面部が下方向を向いた係止平面部を備えていることを特徴とする請求項１〜請求項４のいずれか一項に記載の空気調和機の室外機。
【請求項６】
前記熱交換器は、前記空気の流れ方向に沿って複数台設けられており、
前記第１の面部は、その反フィン側端部が全ての前記熱交換器の前記Ｕ字状配管よりも反フィン側に配置されていることを特徴とする請求項４又は請求項５に記載の空気調和機の室外機。
【請求項７】
前記空気の流れ方向の最上流部に配置された前記熱交換器は、
最も前記Ｕ字状配管に近い前記フィンと当該熱交換器の前記Ｕ字状配管との間に、前記伝熱管が貫通する端板を備え、
前記保護部材は、前記端板と一体で形成されていることを特徴とする請求項１〜請求項６のいずれか一項に記載の空気調和機の室外機。
【請求項８】
前記空気の流れ方向の最上流部に配置された前記熱交換器は、
最も前記Ｕ字状配管に近い前記フィンと当該熱交換器の前記Ｕ字状配管との間に、前記伝熱管が貫通する端板を備え、
前記保護部材は、前記端板に取り付けられていることを特徴とする請求項１〜請求項６のいずれか一項に記載の空気調和機の室外機。
【請求項９】
前記空気の流れ方向の最上流部に配置された前記熱交換器は、
前記保護部材と前記筐体の側壁とが固定されることにより、前記筐体に固定されていることを特徴とする請求項１〜請求項８のいずれか一項に記載の空気調和機の室外機。
【発明の詳細な説明】
【技術分野】
【０００１】
本発明は、空気調和機の室外機に関するものである。
【背景技術】
【０００２】
従来の空気調和機の室外機としては、例えば特許文献１に記載のような室外機が知られている。このような従来の室外機は、後部側壁及び左側側壁に吸込口が形成され、前部側壁に吹出口が形成された筐体内に熱交換器及び送風機が収容されている。そして、熱交換器は、吸込口と対向するように配置され、上下方向に並設された複数の伝熱管と、伝熱管が挿入され、互いに所定の間隔を介して積層された複数のフィンと、フィンの積層方向の一方の端部において２本の伝熱管の端部を接続する複数のＵ字状配管と、を備えている。また、従来の室外機は、空気の流れ方向に沿って、複数台の熱交換器が並設される場合もある。また、一般的に、熱交換器のＵ字状配管が設けられた側と反対側の側部（フィンの積層方向の他方の端部）には、各伝熱管に冷媒を分配して供給し、各伝熱管から流出した冷媒を集約する分配・集約配管が設けられている。
【先行技術文献】
【特許文献】
【０００３】
【特許文献１】特開２００９−１３８９５１号公報
【発明の概要】
【発明が解決しようとする課題】
【０００４】
このような従来の室外機においては、熱交換器がある一定の大きさ以下の場合、手作業において筐体の台板上に熱交換器を設置する場合がある。詳しくは、室外機の正面側に位置する作業者が、熱交換器を持ち上げて保持し、筐体の台板上の後方（吸込口と対向する位置）に熱交換器を設置する。この際、作業者は熱交換器の側部を把持して、熱交換器の持ち上げ、保持及び設置という一連の作業を行うこととなる。ここで、熱交換器のＵ字状配管が設けられた側と反対側の側部においては、分配・集約配管を把持することにより、フィンに作業者の指が接触することを防止することができる。しかしながら、熱交換器のＵ字状配管が設けられた側の側部においては、作業者は、分配・集約配管のような把持する部材が無いため、フィンを把持することとなる。通常、フィンは非常に薄い金属で形成されているため、当該把持位置では、フィンに負荷がかかってフィンがつぶれてしまい、隣接するフィン同士が干渉してしまうという問題点があった。このような問題点が発生すると、フィン同士の干渉箇所は空気が通過することができないため、当該箇所で冷媒と空気が熱交換を行うことができず、空気調和機の能力を低下させてしまう。
【０００５】
また、従来より、一本の配管を曲げることにより、伝熱管及び当該伝熱管を接続するＵ字状配管を一体で形成することがある。このような場合、伝熱管は熱交換効率を向上させるために肉厚を薄く形成するので、Ｕ字状配管の肉厚も薄くなる。このため、伝熱管とＵ字状配管とを一体形成した熱交換器を用いた従来の室外機においては、熱交換器を手作業で筐体の台板上に設置する際、Ｕ字状配管を把持することによって当該把持箇所のＵ字状配管が破損してしまうという問題点があった。このような問題点が発生すると、空気調和機を運転した際、Ｕ字状配管の破損部分から冷媒が漏れ出してしまう。また、破損したＵ字状配管は伝熱管と一体形成されているため、破損したＵ字状配管部分だけを交換することができないので、熱交換器そのものを交換する必要が生じてしまう。このため、Ｕ字状配管が破損してしまった際、熱交換器の取り替え作業によって、組立時間のロスや、部品のロスが発生してしまう。
【０００６】
本発明は、上述のような課題の少なくとも１つを解決するためになされたものであり、筐体への熱交換器の設置時に従来よりもフィンのつぶれを抑制することができる空気調和機の室外機を得ることを第１の目的とする。
【０００７】
また、本発明は、筐体への熱交換器の設置時に従来よりもＵ字状配管の破損を抑制することができる空気調和機の室外機を得ることを第２の目的とする。
【０００８】
また、本発明は、第１の目的及び第２の目的の少なくとも一方を達成しつつ、筐体への熱交換器の設置を容易に行うことができる空気調和機の室外機を得ることを第３の目的とする。
【課題を解決するための手段】
【０００９】
本発明に係る空気調和機の室外機は、吹出口、及び側壁の一部に形成された吸込口を備えた筐体と、前記吸込口と対向して前記筐体内に配置され、空気の流れ方向に沿って少なくとも１台設けられた熱交換器と、前記筐体内に設けられ、前記吸込口から空気を吸入し、前記吹出口から当該空気を吹き出す送風機と、を有し、前記熱交換器は、上下方向に並設された複数の伝熱管と、前記伝熱管が挿入され、互いに所定の間隔を介して積層された複数のフィンと、前記フィンの積層方向の一方の端部において２本の伝熱管の端部を接続する複数のＵ字状配管と、を備えた空気調和機の室外機であって、
前記熱交換器は、前記伝熱管と前記Ｕ字状配管とを一体形成したものであって、前記Ｕ字状配管が配置された側の端部に保護部材を有し、該保護部材は、上下方向に沿って前記熱交換器の前記Ｕ字状配管と対向する第１の面部を備え、前記空気の流れ方向の最上流部に配置された前記熱交換器における最も前記Ｕ字状配管に近い前記フィンから当該熱交換器の前記Ｕ字状配管の折り曲げ部に向かう方向を反フィン側とした場合、前記第１の面部における反フィン側端部は、前記空気の流れ方向の最上流部に配置された前記熱交換器の前記Ｕ字状配管における折り曲げ部よりも反フィン側に配置され、前記第１の面部の反フィン側端部の少なくとも一部に、前記空気の流れ方向の最上流部に配置された前記熱交換器の前記Ｕ字状配管に向かって延設され、平面視において当該Ｕ字状配管を覆う第２の面部を有し、前記第２の面部の下端部よりも所定の長さ上方には、前記第２の面部よりも反フィン側に突設され、前記熱交換器を前記筐体の台板上に載置する際に作業者の手の上部に係止される突設部を備えたものである。
【発明の効果】
【００１０】
本発明においては、前記熱交換器のＵ字状配管が配置された側の端部に、保護部材を設けている。そして、保護部材は、上下方向に沿って熱交換器のＵ字状配管と対向する第１の面部を備え、第１の面部における反フィン側端部は、空気の流れ方向の最上流部に配置された熱交換器のＵ字状配管における折り曲げ部よりも反フィン側に配置されている。ここで、空気の流れ方向の最上流部に配置された熱交換器は、台板上に熱交換器を設置する際に最も作業者の指が接触しやすい熱交換器である。このため、本発明のように構成された保護部材を用いることにより、作業者が熱交換器のＵ字状配管が設けられた側の側部を把持する際、保護部材を把持することによって指がフィンに接触しづらくなり、筐体への熱交換器の設置時に従来よりもフィンのつぶれを抑制することができる。また、本発明は、熱交換器を筐体の台板上に載置する際に作業者の手の上部に係止される突設部を備えている。したがって、作業者が熱交換器へ上方向の力を付与しやすくなる。このため、熱交換器の持ち上げや保持が容易となり、熱交換器を筐体に設置することが容易となる。
【図面の簡単な説明】
【００１１】
【図１】本発明の実施の形態１に係る空気調和機の室外機における天板を外した状態の平面図である。
【図２】本発明の実施の形態１に係る空気調和機の室外機における熱交換器を示す斜視図である。
【図３】本発明の実施の形態１に係る空気調和機の室外機における熱交換器の保護部材を示す斜視図である。
【図４】本発明の実施の形態２に係る空気調和機の室外機における熱交換器を示す斜視図である。
【図５】本発明の実施の形態２に係る空気調和機の室外機における熱交換器の保護部材を示す斜視図である。
【図６】本発明の実施の形態３に係る空気調和機の室外機における熱交換器を示す斜視図である。
【図７】本発明の実施の形態３に係る空気調和機の室外機における熱交換器の保護部材を示す斜視図である。
【発明を実施するための形態】
【００１２】
実施の形態１．
図１は、本発明の実施の形態１に係る空気調和機の室外機における天板を外した状態の平面図である。図２は、この室外機の熱交換器を示す斜視図である。また、図３は、この熱交換器の保護部材を示す斜視図である。
以下、これら図１〜図３を用いて、本実施の形態１に係る空気調和機の室外機１００について説明する。
【００１３】
室外機１００は筐体１を備え、この筐体１の内部には熱交換器１０ａ，１０ｂ及び送風機５０等が収容されている。
【００１４】
筐体１は略直方体形状をしており、台板２、フロントパネル３、サイドパネル４、リアパネル５及び天板等によって構成されている。台板２は、筐体１の底面部を構成するものである。フロントパネル３は、筐体１の前部側壁及び左右側側壁の一部を構成するものであり、前面部には吹出口３ａが形成されている。また、吹出口３ａには、ベルマウス３ｂが設けられている。サイドパネル４は、筐体１の左側側壁の一部及び後部側壁の一部を構成するものであり、左側側壁には吸込口４ａが形成されている。リアパネル５は、筐体１の後部側壁の一部及び右側側壁の一部を構成するものである。そして、リアパネル５の左側端部とサイドパネル４の右側端部との間の空間が、吸込口５ａとなっている。また、フロントパネル３、サイドパネル４及びリアパネル５の上端部によって囲まれた筐体１の上部開口は、天板（図示せず）によって閉塞される。また、筐体１内は仕切板６によって左右の空間に区画されている。仕切板６によって区画された筐体１内の左側の空間には、熱交換器１０ａ，１０ｂ及び送風機５０が収容されている。仕切板６によって区画された筐体１内の右側の空間には、圧縮機や当該圧縮機及び送風機５０の回転数等を制御する制御基板等（共に図示せず）が収容される。なお、筐体１を構成する各パネルはあくまでも一例であり、室外機１００の組立工程等において好適なように、筐体１を適宜複数のパネルに分割すればよい。
【００１５】
熱交換器１０ａは、筐体１の吸込口４ａ，５ａに対向して配置されるものであり、平面視略Ｌ字状に形成されている。この熱交換器１０ａは、複数の伝熱管１１ａ、複数のフィン１２ａ及び複数のＵ字状配管１３ａ等で構成されている。複数の伝熱管１１ａは、それぞれ平面視略Ｌ字状に形成され、上下方向に沿って並設されている。複数のフィン１２ａは、例えば略長方形状をした金属製の薄板であり、水平方向に所定の間隔を介して積層されている。これらフィン１２ａは、その長手方向が上下方向となるように配置されている。また、各フィン１２ａには、フィン１２ａの積層方向に沿って伝熱管１１ａが挿入されている。Ｕ字状配管１３ａは、熱交換器１０ａの左側の側部（フィン１２ａの積層方向の一方の端部）において、２つの伝熱管１１ａ（例えば隣接する伝熱管１１ａ）の一方の端部同士を接続するものである。
なお、この熱交換器１０ａの左側側部（Ｕ字状配管１３ａが設けられた側の側部）近傍の詳細構成は、熱交換器１０ｂの構成を説明した後に説明する。
【００１６】
熱交換器１０ｂは、熱交換器１０ａと基本的に同様の構成となっている。詳しくは、熱交換器１０ｂは、熱交換器１０ａの内側（後述する空気流れの下流側）において筐体１の吸込口４ａ，５ａに対向して配置されるものであり、平面視略Ｌ字状に形成されている。そして、熱交換器１０ｂは、複数の伝熱管１１ｂ、複数のフィン１２ｂ及び複数のＵ字状配管１３ｂ等で構成されている。複数の伝熱管１１ｂは、それぞれ平面視略Ｌ字状に形成され、上下方向に沿って並設されている。複数のフィン１２ｂは、例えば略長方形状をした金属製の薄板であり、水平方向に所定の間隔を介して積層されている。これらフィン１２ｂは、その長手方向が上下方向となるように配置されている。また、各フィン１２ｂには、フィン１２ｂの積層方向に沿って伝熱管１１ｂが挿入されている。Ｕ字状配管１３ｂは、熱交換器１０ｂの左側の側部（フィン１２ｂの積層方向の一方の端部）において、２つの伝熱管１１ｂ（例えば隣接する伝熱管１１ｂ）の一方の端部同士を接続するものである。本実施の形態１においては、熱交換器１０ｂのＵ字状配管１３ｂの折り曲げ部（Ｕ字状の底部）が、熱交換器１０ａのＵ字状配管１３ａの折り曲げ部よりも前方に配置されている。
【００１７】
また、熱交換器１０ａ，１０ｂの右側側部（フィン１２ａ，１２ｂの積層方向の他方の端部）には、伝熱管１１ａ，１１ｂに冷媒を分配し、伝熱管１１ａ，１１ｂから流出した冷媒を集約する分配・集約配管１６が設けられている。
【００１８】
ここで、本実施の形態１に係る室外機１００においては、この熱交換器１０ａの左側側部（Ｕ字状配管１３ａが設けられた側の側部）に、端板１５及び保護部材２０が設けられている。端板１５は、最もＵ字状配管１３ａに近いフィン１２ａとＵ字状配管１３ａとの間に設けられた平板部、及び、該平板部の外側端部（サイドパネル４側の端部）から前方に延設された延設部を備えている。つまり、端板１５は、平面視略Ｌ字状に形成されている。端板１５はフィン１２ａに伝熱管１１ａを挿入する際に取り付けられるものであり、端板１５の平板部にも伝熱管１１ａが挿入されている。なお、フィン１２ａ及び端板１５と伝熱管１１ａとの固定は、例えば、フィン１２ａ及び端板１５に伝熱管１１ａを挿入した後、伝熱管１１ａを拡管することにより行われる。
【００１９】
保護部材２０は、例えば、上下方向に長い略長方形状をした板状部材である。この保護部材２０は、上下方向に沿って、Ｕ字状配管１３ａの外側（サイドパネル４側）と対向している。保護部材２０は、端板１５の延設部に次のように取り付けられている。詳しくは、まず、保護部材２０の係止爪２２を端板１５の延設部に形成された係止穴（図示せず）に係止し、保護部材２０を仮固定する。そして、保護部材２０の貫通孔２３に通したネジ２３ａを端板１５の延設部に形成されたネジ穴に螺合することにより、保護部材２０は端板１５の延設部に取り付けられる。保護部材２０が端板１５に取り付けられた状態においては、保護部材２０の前端部２１は、熱交換器１０ｂのＵ字状配管１３ｂの折り曲げ部よりも前方に配置されている。
ここで、保護部材２０が、本発明の保護部材且つ第１の面部に相当し、前端部２１が本発明の反フィン側端部に相当する。
【００２０】
なお、本実施の形態１においては、保護部材２０は、熱交換器１０ａを筐体１に固定するための固定部材としても用いられている。詳しくは、保護部材２０の係止穴２４にサイドパネル４の係止爪（図示せず）を係止し、熱交換器１０ａを仮固定する。そして、サイドパネル４の貫通孔（図示せず）に挿入したネジ（図示せず）を保護部材２０のネジ穴２５に螺合することにより、熱交換器１０ａはサイドパネル４に固定される。なお、この取付作業前において、熱交換器１０ａと熱交換器１０ｂとは、公知の方法（例えば、両者をベルトや連結治具で固定する等）で固定されている。また、本実施の形態１では、保護部材２０を端板１５に取り付けるためのネジ２３ａの頭部がサイドパネル４と干渉しないように、また、以下の効果を得るために、保護部材２０に段差部２６が形成されている。つまり、保護部材２０に段差部２６を形成することにより、サイドパネル４と熱交換器１０ａとの間に空間を形成できるため、冬期の運転中に熱交換器１０ａに結露しても、サイドパネル４と熱交換器１０ａとの間に氷がブリッジして熱交換器１０ａを閉塞することを防止でき、熱交換器１０ａの熱交換効率が低下することを防止できる。
【００２１】
送風機５０は、筐体１内における熱交換器１０ａ，１０ｂの前方（後述する空気流れ下流側）に設けられている。詳しくは、送風機５０は、吹出口３ａに対向して配置されており、空気流れ下流側の外周部がベルマウス３ｂに覆われている。この送風機５０は、モーターサポート５１に取り付けられている。このモーターサポート５１は、送風機取付部５１ａ及び天板支持部５１ｂ等で構成されている。送風機取付部５１ａは、その下端部が台板２に固定されて台板２から立設しているものであり、送風機５０のモーターを支持している。天板支持部５１ｂは、天板を下方から支持するものであり、天板と対向するように送風機取付部５１ａの上端部に設けられている。
【００２２】
このように構成された室外機１００は、送風機５０が駆動されると、図１の白抜き矢印で示すように空気が流れる。つまり、吸込口４ａ，５ａから筐体１内に吸い込まれた筐体１外の空気（室外空気）は、熱交換器１０ａ及び熱交換器１０ｂの順で通過し、熱交換器１０ａの伝熱管１１ａ及び熱交換器１０ｂの伝熱管１１ｂを流れる冷媒と熱交換する。そして、熱交換後の空気は、吹出口３ａから筐体１外へ吹き出される。
【００２３】
（熱交換器１０ａ，１０ｂの取り付け工程）
続いて、本実施の形態１に係る室外機１００に熱交換器１０ａ，１０ｂを取り付ける工程について説明する。
予め公知の方法で固定された熱交換器１０ａ，１０ｂを手作業によって筐体１の台板２上に設置する場合（上記のように、保護部材２０の係止穴２４にサイドパネル４の係止爪を係止する場合）、作業者は、熱交換器１０ａ，１０ｂの設置後にモーターサポート５１及び送風機５０等を設置する必要があるため、室外機１００の正面側から熱交換器１０ａ，１０ｂを台板２上に設置することとなる。そして、作業者は、熱交換器１０ａ，１０ｂの両側部を把持して、熱交換器１０ａ，１０ｂを持ち上げて保持し、熱交換器１０ａ，１０ｂを台板２上に設置する。詳しくは、熱交換器１０ａ，１０ｂの分配・集約配管１６が設けられた側の側部においては、作業者は、当該分配・集約配管１６を把持する。また、熱交換器１０ａ，１０ｂのＵ字状配管１３ａ，１３ｂが設けられた側の側部においては、保護部材２０を把持する。このため、フィンつぶれが発生してしまう熱交換器１０ａ，１０ｂのＵ字状配管１３ａ，１３ｂが設けられた側の側部において、従来よりも、作業者の指先をフィン１２ａ，１２ｂから離れさせることができる。したがって、熱交換器１０ａ，１０ｂを手作業によって筐体１の台板２上に設置する際、従来よりもフィンつぶれの発生を抑制することができる。
【００２４】
以上、本実施の形態１のように構成された空気調和機の室外機１００においては、熱交換器１０ａ，１０ｂの左側側部（Ｕ字状配管１３ａ，１３ｂが設けられた側の側部）に保護部材２０を設置し、保護部材２０の前端部２１をＵ字状配管１３ｂの折り曲げ部よりも前方に配置したので、熱交換器１０ａ，１０ｂを手作業によって筐体１の台板２上に設置する際、従来よりもフィンつぶれの発生を抑制することができる。このため、フィン１２ａ同士やフィン１２ｂ同士が干渉して当該干渉箇所に空気が通過できなくなることを従来よりも抑制できるので、空気調和機の能力が低下してしまうことを従来よりも抑制できる。
【００２５】
なお、本実施の形態１では、保護部材２０の前端部２１を熱交換器１０ｂのＵ字状配管１３ｂの折り曲げ部よりも前方に配置したが、保護部材２０の前端部２１は、最も空気流れの上流側に配置された熱交換器１０ａのＵ字状配管１３ａの折り曲げ部よりも前方に配置されていればよい。熱交換器１０ａ，１０ｂの左側側部を把持する際、人差し指から小指までが外側（サイドパネル４側）となり、親指が内側（送風機５０側）となるように熱交換器１０ａ，１０ｂを把持する。このため、人差し指から小指が熱交換器１０ａのフィン１２ａの外側端部（サイドパネル４側端部）に接触し、当該箇所のフィン１２ａをつぶしてしまう可能性が一番高い。したがって、保護部材２０の前端部２１を、少なくとも最も空気流れの上流側に配置された熱交換器１０ａのＵ字状配管１３ａの折り曲げ部よりも前方に配置することにより、熱交換器１０ａ，１０ｂを手作業によって筐体１の台板２上に設置する際、従来よりも作業者の指先をフィン１２ａから離れさせることができ、従来よりもフィンつぶれの発生を抑制することができる。
【００２６】
また、本実施の形態１では保護部材２０を熱交換器１０ａの外側（サイドパネル４側）に設けたが、保護部材２０の設置位置は当該位置に限定されるものではない。例えば、保護部材２０を熱交換器１０ａと熱交換器１０ｂとの間に設けてもよい。また例えば、保護部材２０を熱交換器１０ｂの内側（送風機５０側）に設けてもよい。
【００２７】
また、本実施の形態１では、熱交換器１０ａ，１０ｂの形状を平面視略Ｌ字状に形成したが、熱交換器１０ａ，１０ｂの形状も当該形状に限定されるものではない。例えば、吸込口が後部側壁のみに形成されている場合は、熱交換器１０ａ，１０ｂの形状を平面視略直線状に形成してもよい。また例えば、吸込口が左側側壁部、後部側壁部及び右側側壁部に形成されている場合、熱交換器１０ａ，１０ｂの形状を平面視略コ字状に形成してもよい。保護部材２０の前端部２１が少なくとも最も空気流れの上流側に配置された熱交換器１０ａのＵ字状配管１３ａの折り曲げ部よりも反フィン側（Ｕ字状配管１３ａに最も近いフィン１２ａからＵ字状配管１３ａの折り曲げ部に向かう方向）に配置されていれば、従来よりもフィンつぶれの発生を抑制することができる。
【００２８】
また、本実施の形態１では、２つの熱交換器（熱交換器１０ａ，１０ｂ）を空気流れの方向に沿って設けたが、熱交換器の設置台数は任意である。例えば、熱交換器１０ａのみを設けた室外機１００としてもよい。また例えば、空気流れの方向に沿って３台以上の熱交換器を並設して、室外機１００を構成してもよい。
【００２９】
また、本実施の形態１では、端板１５と保護部材２０を別体で形成したが、端板１５と保護部材２０を一体で形成してもよい。端板１５と保護部材２０を別体で形成することにより、保護部材２０の形状を変更することで、異なる大きさの熱交換器を共通の筐体に設置することができ、部品の共通化を図ることができる。端板１５と保護部材２０を一体で形成することにより、端板１５に保護部材２０を取り付ける工数を削減でき、室外機１００の組立コストを削減することができる。
【００３０】
実施の形態２．
従来より、１本の配管を曲げることにより、伝熱管とＵ字状配管を一体で形成する場合がある。このような場合、伝熱管は熱交換効率を向上させるために肉厚を薄く形成するので、Ｕ字状配管の肉厚も薄くなる。このため、熱交換器を筐体に設置する際、Ｕ字状配管が破損しやすくなる。したがって、伝熱管とＵ字状配管を一体形成した熱交換器を室外機１００に用いる場合、保護部材２０を例えば次のように形成してもよい。なお、本実施の形態２で特に記述しない項目については実施の形態１と同様とし、同一の機能や構成については同一の符号を用いて述べることとする。
【００３１】
図４は、本発明の実施の形態２に係る空気調和機の室外機における熱交換器を示す斜視図である。また、図５は、この熱交換器の保護部材を示す斜視図である。
本実施の形態２に係る保護部材２０においては、前端部２１が、最も空気流れの上流側に配置された熱交換器１０ａのＵ字状配管１３ａの折り曲げ部よりも前方に配置されている。また、この前端部２１には、当該前端部２１の中央部近傍からＵ字状配管１３ａ側に折り曲げられた（延設された）内側折り曲げ部３０が形成されている。この内側折り曲げ部３０は、Ｕ字状配管１３ａと対向する位置、つまり、平面視においてＵ字状配管１３ａを覆う位置まで延設されている。また、前端部２１における内側折り曲げ部３０よりも上方の位置には、前方へ延設された突設部３１が設けられている。
ここで、保護部材２０における前端部２１よりも後方の部分が、本発明における第１の面部に相当する。また、内側折り曲げ部３０が、本発明における第２の面部に相当する。
【００３２】
以上、本実施の形態２のように構成された空気調和機の室外機１００においては、前端部２１を最も空気流れの上流側に配置された熱交換器１０ａのＵ字状配管１３ａの折り曲げ部よりも前方に配置しているので、熱交換器１０ａ，１０ｂを手作業によって筐体１の台板２上に設置する際、実施の形態１と同様にフィンつぶれの発生を抑制することができる。また、保護部材２０に内側折り曲げ部３０を備えているので、熱交換器１０ａ，１０ｂを手作業によって筐体１の台板２上に設置する際、内側折り曲げ部３０と対向している範囲のＵ字状配管１３ａの破損を防止することができる。また、保護部材２０には、前端部２１における内側折り曲げ部３０よりも上方の位置に突設部３１が設けられているので、熱交換器１０ａ，１０ｂを手作業によって筐体１の台板２上に設置する際、作業者の手の上部に突設部３１が係止されることにより、作業者が熱交換器１０ａ，１０ｂへ上方向の力を付与しやすくなる。このため、熱交換器１０ａ，１０ｂの持ち上げや保持が容易となり、熱交換器１０ａ，１０ｂを筐体１の台板２上に設置することが容易となる。
【００３３】
なお、本実施の形態２では、保護部材２０の前端部２１の一部のみから内側折り曲げ部３０を延設したが、前端部２１の全部から内側折り曲げ部３０を延設してもよい。これにより、内側折り曲げ部３０に覆われるＵ字状配管１３ａの数が増加するため、熱交換器１０ａ，１０ｂを手作業によって筐体１の台板２上に設置する際、破損を防止できるＵ字状配管１３ａの数を増加することができる。また、本実施の形態２では、内側折り曲げ部３０で熱交換器１０ａのＵ字状配管１３ａのみを覆う構成としたが、内側折り曲げ部３０をさらに延設して、熱交換器１０ｂのＵ字状配管１３ｂも覆う構成としてもよい。これにより、熱交換器１０ａ，１０ｂを手作業によって筐体１の台板２上に設置する際、熱交換器１０ａのＵ字状配管１３ａのみならず、熱交換器１０ｂのＵ字状配管１３ｂが破損することも防止することができる。
【００３４】
また、本実施の形態２では、突設部３１を内側折り曲げ部３０の上方に配置したが、突設部３１の形成位置は当該位置に限定されるものではない。例えば、別体で構成された突設部３１を内側折り曲げ部３０に取り付けてもよい。つまり、別体の板部材や棒状部材等を内側折り曲げ部３０に取り付けてもよい。このとき、突設部３１の下方には作業者が把持できる範囲の内側折り曲げ部３０があればよいので、突設部３１は、少なくとも内側折り曲げ部３０の下端部よりも所定の長さだけ上方に設けられていればよい。
【００３５】
また、本実施の形態２では、実施の形態１で示した保護部材２０に対して内側折り曲げ部３０及び突設部３１を同時に追加したが、実施の形態１で示した保護部材２０に対して内側折り曲げ部３０のみを追加してもよいし、実施の形態１で示した保護部材２０に対して突設部３１のみを追加してもよい。実施の形態１で示した保護部材２０に対して内側折り曲げ部３０のみを追加することにより、熱交換器１０ａ，１０ｂを手作業によって筐体１の台板２上に設置する際、フィンつぶれを従来よりも抑制できるという実施の形態１と同様の効果に加え、Ｕ字状配管１３ａやＵ字状配管１３ｂの破損を防止できるという効果を得ることもできる。また、実施の形態１で示した保護部材２０に対して突設部３１のみを追加することにより、熱交換器１０ａ，１０ｂを手作業によって筐体１の台板２上に設置する際、フィンつぶれを従来よりも抑制できるという実施の形態１と同様の効果に加え、熱交換器１０ａ，１０ｂを筐体１の台板２上に設置することが容易になるという効果を得ることもできる。
【００３６】
実施の形態３．
上記の突設部３１に次のような係止平面部を設けることにより、熱交換器１０ａ，１０ｂを手作業によって筐体１の台板２上に設置する際、熱交換器１０ａ，１０ｂの設置作業をさらに容易にすることができる。なお、以下の説明では、実施の形態２で説明した保護部材２０に係止平面部を設けた空気調和機の室外機１００について説明する。また、本実施の形態３で特に記述しない項目については実施の形態１又は実施の形態２と同様とし、同一の機能や構成については同一の符号を用いて述べることとする。
【００３７】
図６は、本発明の実施の形態３に係る空気調和機の室外機における熱交換器を示す斜視図である。また、図７は、この熱交換器の保護部材を示す斜視図である。
本実施の形態３に係る保護部材２０は、突設部３１の下端部から内側（Ｕ字状配管１３ａ側）に延設され、その平面部が下方向を向いた係止平面部４０が設けられている。
【００３８】
以上、本実施の形態３のように構成された空気調和機の室外機１００においては、熱交換器１０ａ，１０ｂを手作業によって筐体１の台板２上に設置する際、作業者の手の上部に突設部３１の係止平面部４０が係止される。このため、作業者の手にかかる面圧が小さくなる。このため、本実施の形態３のように構成された空気調和機の室外機１００においては、熱交換器１０ａ，１０ｂを手作業によって筐体１の台板２上に設置する際、実施の形態１や実施の形態２で示した効果に加え、作業者は熱交換器１０ａ，１０ｂの持ち上げや保持がより容易となり、熱交換器１０ａ，１０ｂを筐体１の台板２上に設置することがより容易になるという効果を得ることもできる。
【符号の説明】
【００３９】
１  筐体、２  台板、３  フロントパネル、３ａ  吹出口、３ｂ  ベルマウス、４  サイドパネル、４ａ  吸込口、５  リアパネル、５ａ  吸込口、６  仕切板、１０ａ，１０ｂ  熱交換器、１１ａ，１１ｂ  伝熱管、１２ａ，１２ｂ  フィン、１３ａ，１３ｂ  Ｕ字状配管、１５  端板、１６  分配・集約配管、２０  保護部材、２１  前端部、２２  係止爪、２３  貫通孔、２３ａ  ネジ、２４  係止穴、２５  ネジ穴、２６  段差部、３０  内側折り曲げ部、３１  突設部、４０  係止平面部、５０  送風機、５１  モーターサポート、５１ａ  送風機取付部、５１ｂ  天板支持部、１００  室外機。
【図１】
0005586571.tif 000002
【図２】
0005586571.tif 000003
【図３】
0005586571.tif 000004
【図４】
0005586571.tif 000005
【図５】
0005586571.tif 000006
【図６】
0005586571.tif 000007
【図７】
0005586571.tif 000008